(57)【要約】【課題】サイドガイドを被圧延材の側端部に押し当てたときの押し戻し力がプッシャーバー駆動機構に衝撃力として伝わることを構造の複雑化や部品点数の増加を招くことなく抑制することのできるサイドガイド装置を提供する。【解決手段】被圧延材を搬送する搬送テーブルの両側に配置された左右一対のサイドガイドを被圧延材の側端部に押し当てるプッシャーバー７の各先端にピストン２１を設けるとともに、ピストン２１をプッシャーバー７の長手方向に移動可能に収納するピストン収納室２２をサイドガイド５の内部に形成し、ピストン２１の直径より小さい外径でコイル状に形成された緩衝ばね２６をピストン２１の先端と対向してピストン収納室２２に形成された内壁面２３とピストン２１との間に設けた。【選択図】図２
2013128979.tif 000002
【特許請求の範囲】
【請求項１】
被圧延材を搬送する搬送テーブルの両側に相対向して配置された左右一対のサイドガイドと、該サイドガイドを前記被圧延材の側端部に押し当てる複数のプッシャーバーと、該プッシャーバーを前記搬送テーブルの幅方向に進退駆動する複数のプッシャーバー駆動機構とを備えたサイドガイド装置において、
前記プッシャーバーの各先端にピストンを設けるとともに、該ピストンを前記プッシャーバーの長手方向に移動可能に収納する複数のピストン収納室を前記サイドガイドの内部に形成し、前記ピストンの直径より小さい外径でコイル状に形成された緩衝ばねを前記ピストンの先端と対向して前記ピストン収納室に形成された内壁面と前記ピストンとの間に設けたことを特徴とするサイドガイド装置。
【請求項２】
前記内壁面から突出して前記ピストンの先端中央部に形成された凹部と摺動自在に嵌合する円筒部の内側に、前記緩衝ばねを設けたことを特徴とする請求項１に記載のサイドガイド装置。
【請求項３】
前記円筒部の内径より小さい直径で円板状に形成されたばね力調整部材を前記緩衝ばねと前記内壁面との間に設けたことを特徴とする請求項２に記載のサイドガイド装置。
【発明の詳細な説明】
【技術分野】
【０００１】
本発明は、例えば熱延鋼板を製造する設備などで用いられるサイドガイド装置に関する。
【背景技術】
【０００２】
一般に、熱延鋼板は連続鋳造機で得られたスラブを加熱炉に供給して１０００℃以上に加熱した後、粗圧延機や仕上圧延機を備えた熱間圧延設備にスラブを供給して製造される。このような熱延鋼板の製造プロセスに用いられる熱間圧延設備として、被圧延材としてのスラブを搬送する搬送テーブルの両側に相対向して配置された左右一対のサイドガイドと、サイドガイドをスラブの側端部に押し当てる複数のプッシャーバーと、プッシャーバーを搬送テーブルの幅方向に進退駆動する複数のプッシャーバー駆動機構とからなるサイドガイド装置を備えたものが知られている。
【０００３】
このようなサイドガイド装置を備えた熱間圧延設備では、スラブの幅方向中央部を圧延機のロール中央部にセンタリングすることが可能であるが、サイドガイドをスラブの側端部に押し当てるとサイドガイドに押し戻し力が作用し、この押し戻し力がプッシャーバーを介してプッシャーバー駆動機構に衝撃力として伝わるため、プッシャーバー駆動機構に損耗が生じやすいという問題がある。
【０００４】
そこで、特許文献１には、プッシャーバーのラックをサイドガイドの進退方向にスライド可能なスライド式ラックとし、このスライド式ラックをプッシャーバーの内部に組み込まれた緩衝装置に連結するとともに、スライド式ラックと噛合するピニオンギヤを駆動するピニオン駆動軸に緩衝機構付き軸継手を組み込んだサイドガイド装置が記載されている。
また、特許文献２には、プッシャーバーの先端部にショックリリース機構を設けたサイドガイド装置が記載されている。
【先行技術文献】
【特許文献】
【０００５】
【特許文献１】実開平０６−９７１０号公報
【特許文献２】実開昭５８−４３８１２号公報
【発明の概要】
【発明が解決しようとする課題】
【０００６】
しかしながら、特許文献１に記載されたサイドガイド装置では、プッシャーバーの内部に緩衝装置を組み込んだり、ピニオン駆動軸に緩衝機構付き軸継手を組み込んだりしなければならないため、構造が複雑になるという問題がある。また、スライド式ラックと緩衝装置とを連結する連結ピンの摩耗や切損等によってトラブルが発生しやすいという問題もある。
【０００７】
一方、特許文献２に記載されたサイドガイド装置では、ショックリリース機構がプッシャーバーの先端部に進退可能に組み込まれたダッシュポットや、ダッシュポットをプッシャーバーの先端側に付勢するコイルばね等から構成されているため、部品点数が多くなるなどの問題がある。
本発明は、上述した問題点に鑑みてなされたものであり、サイドガイドを被圧延材の側端部に押し当てたときの押し戻し力がプッシャーバー駆動機構に衝撃力として伝わることを構造の複雑化や部品点数の増加を招くことなく抑制することのできるサイドガイド装置を提供することを目的とするものである。
【課題を解決するための手段】
【０００８】
上記課題を解決するために、請求項１の発明は、被圧延材を搬送する搬送テーブルの両側に相対向して配置された左右一対のサイドガイドと、該サイドガイドを前記被圧延材の側端部に押し当てる複数のプッシャーバーと、該プッシャーバーを前記搬送テーブルの幅方向に進退駆動する複数のプッシャーバー駆動機構とを備えたサイドガイド装置において、前記プッシャーバーの各先端にピストンを設けるとともに、該ピストンを前記プッシャーバーの長手方向に移動可能に収納する複数のピストン収納室を前記サイドガイドの内部に形成し、前記ピストンの直径より小さい外径でコイル状に形成された緩衝ばねを前記ピストンの先端と対向して前記ピストン収納室に形成された内壁面と前記ピストンとの間に設けたことを特徴とする。
【０００９】
請求項２の発明は、請求項１に記載のサイドガイド装置において、前記内壁面から突出して前記ピストンの先端中央部に形成された凹部と摺動自在に嵌合する円筒部の内側に、前記緩衝ばねを設けたことを特徴とする。
請求項３の発明は、請求項２に記載のサイドガイド装置において、前記円筒部の内径より小さい直径で円板状に形成されたばね力調整部材を前記緩衝ばねと前記内壁面との間に設けたことを特徴とする。
【発明の効果】
【００１０】
本発明によれば、サイドガイドのピストン収納室に収容されたピストンがサイドガイドを被圧延材の側端部に押し当てたときの押し戻し力によってサイドガイド側に相対移動し、これに伴って緩衝ばねがピストン収納室に形成された内壁面とピストンとの間で縮小することで押し戻し力が緩衝ばねによって吸収されることになり、これにより、プッシャーバー駆動機構の損耗を防止するために、プッシャーバーの内部に緩衝装置を組み込んだり、プッシャーバー駆動機構に緩衝機構付き軸継手を組み込んだりしなくてもよいので、サイドガイドを被圧延材の側端部に押し当てたときの押し戻し力がプッシャーバー駆動機構に衝撃力として伝わることを構造の複雑化や部品点数の増加を招くことなく抑制することができる。
【図面の簡単な説明】
【００１１】
【図１】本発明の一実施形態に係るサイドガイド装置の概略構成を示す平面図である。
【図２】本発明の一実施形態に係るサイドガイド装置の要部を示す断面図である。
【図３】プッシャーバーの先端に形成されたピストンの断面図である。
【図４】サイドガイドの内部に形成されたピストン収納室を示す断面図である。
【図５】図２に示す緩衝ばねの作用を説明するための図である。
【発明を実施するための形態】
【００１２】
以下、図面を参照して本発明の実施形態について説明する。
図１〜図５は本発明の一実施形態を説明するための図であり、図１に示されるサイドガイド装置４はサイドガイド５，６、プッシャーバー７，８，９，１０、プッシャーバー駆動機構１１，１２を備えている。
サイドガイド５，６は圧延機２の入側に配置された搬送テーブル３により図中矢印方向に搬送される被圧延材１の両側をガイドするものであって、搬送テーブル３の両側に相対向して配置されているとともに、被圧延材１の側端部１ａをガイドする平面状のガイド面５ａ，６ａを有している。
【００１３】
プッシャーバー７，８はサイドガイド５を被圧延材１の側端部１ａに押し当てるものであって、サイドガイド５のガイド面５ａと反対側の端面から互いに平行に突出している。
プッシャーバー９，１０はサイドガイド６を被圧延材１の側端部１ａに押し当てるものであって、サイドガイド６のガイド面６ａと反対側の端面から互いに平行に突出している。
【００１４】
プッシャーバー駆動機構１１はプッシャーバー７，８を搬送テーブル３の幅方向に進退駆動するものであって、例えばプッシャーバー７，８の表面に形成されたラックギヤ（図示せず）と噛み合う２つのピニオンギヤ１３と、これらのピニオンギヤ１３を駆動する２つのピニオン駆動軸１４と、これらのピニオン駆動軸１４に駆動モータ１５の回転トルクを減速して伝えるウォーム減速機１６などから構成されている。
【００１５】
プッシャーバー駆動機構１２はプッシャーバー９，１０を搬送テーブル３の幅方向に進退駆動するものであって、例えばプッシャーバー９，１０の表面に形成されたラックギヤ（図示せず）と噛み合う２つのピニオンギヤ１７と、これらのピニオンギヤ１７を駆動する２つのピニオン駆動軸１８と、これらのピニオン駆動軸１８に駆動モータ１９の回転トルクを減速して伝えるウォーム減速機２０などから構成されている。
図１に示されるサイドガイド装置４はプッシャーバー７〜１０の各先端にピストン２１（図２、図３参照）を有し、これらのピストン２１はプッシャーバー７〜１０の上下面や左右側面から突出する大きさで円柱状に形成されている。
【００１６】
また、サイドガイド装置４はピストン２１をプッシャーバー７〜１０の長手方向に移動可能に収納する４つのピストン収納室２２（図２、図４参照）を有し、これらのピストン収納室２２はピストン２１の周面部と摺動自在に接するようにサイドガイド５，６の内部に２つずつ形成されている。そして、ピストン収納室２２はピストン２１の先端と対向する内壁面２３（図４参照）と、この内壁面２３からピストン２１に向けて突出する円筒部２４を有し、円筒部２４の外周面はピストン２１の先端中央部に形成された円筒状の凹部２５（図３参照）と摺動自在に嵌合している。
【００１７】
サイドガイド装置４は、また、４つの緩衝ばね２６（図２参照）を有している。これらの緩衝ばね２６はサイドガイド５，６を被圧延材１の側端部１ａに押し当てたときにサイドガイド５，６に作用する押し戻し力を吸収するものであって、ピストン２１の直径より小さい直径でコイル状に形成されている。そして、各緩衝ばね２６はピストン２１の先端とピストン収納室２２に形成された内壁面２３との間に設けられ、本実施形態では、円筒部２４の内側に設けられている。
【００１８】
また、サイドガイド装置４は緩衝ばね２６のばね力を調整するための４つのばね力調整部材２７（図２参照）を有し、これらのばね力調整部材２７は円筒部２４の内径より小さい直径で円板状に形成されているとともに、ピストン収納室２２の内壁面２３と緩衝ばね２６との間に設けられている。
なお、サイドガイド５，６は搬送テーブル３の幅方向に沿う断面が概ねコ字状に形成されたサイドガイド本体２８（図２、図４参照）と、このサイドガイド本体２８の開口側端面にボルト止めされた板状の蓋部材２９とからなり、サイドガイド本体２８と蓋部材２９には、ピストン収納室２２にグリース等の潤滑剤を供給するための複数の給脂孔３０が形成されている。
【００１９】
このようなサイドガイド装置４のプッシャーバー駆動機構１１，１２を作動させてサイドガイド５，６のガイド面５ａ，６ａを被圧延材１の側端部１ａに押し当てると、図５（ａ）に示すように、サイドガイド５，６のガイド面５ａ，６ａに押し戻し力Ｆが作用する。そして、サイドガイド５，６のガイド面５ａ，６ａに押し戻し力Ｆが作用すると、図５（ｂ）に示すように、サイドガイド５，６のピストン収納室２２に収容されたピストン２１が押し戻し力Ｆによってサイドガイド側に相対移動し、これに伴って緩衝ばね２６がピストン２１とピストン収納室２２の内壁面２３との間で縮小することでサイドガイド５，６に作用する押し戻し力Ｆが緩衝ばね２６によって吸収される。
【００２０】
これにより、特許文献１や特許文献２に記載された先行技術のように、プッシャーバー駆動機構１１，１２の損耗を防止するために、プッシャーバー７〜１０の内部に緩衝装置を組み込んだり、プッシャーバー駆動機構１１，１２に緩衝機構付き軸継手を組み込んだりしなくてもよいので、サイドガイド５，６を被圧延材１の側端部１ａに押し当てたときの押し戻し力Ｆがプッシャーバー駆動機構１１，１２に衝撃力として伝わることを構造の複雑化や部品点数の増加を招くことなく抑制することができる。
【００２１】
また、上述のように、ピストン２１の先端と対向してピストン収納室２２に形成された内壁面２３から突出してピストン２１の先端中央部に形成された凹部２５と摺動自在に嵌合する円筒部２４の内側に緩衝ばね２６を設けたことで、サイドガイド５，６を被圧延材１の側端部１ａに押し当てたときの押し戻し力Ｆを緩衝ばね２６によって確実に吸収することができる。
【００２２】
さらに、円筒部２４の内径より小さい直径で円板状に形成されたばね力調整部材２７をピストン収納室２２に形成された内壁面２３と緩衝ばね２６との間に設けたことで、サイドガイド５，６に作用する押し戻し力Ｆに応じて緩衝ばね２６のばね力を容易に調整することができる。
上述した本発明の一実施形態では、プッシャーバーを搬送テーブルの幅方向に進退駆動するプッシャーバー駆動機構として、プッシャーバーの表面に形成されたラックギヤと噛み合うピニオンギヤと、ピニオンギヤを駆動するピニオン駆動軸と、ピニオン駆動軸に駆動モータの回転トルクを減速して伝えるウォーム減速機とからなるものを例示したが、これに限られるものではない。
【符号の説明】
【００２３】
１…被圧延材
２…圧延機
３…搬送テーブル
４…サイドガイド装置
５，６…サイドガイド
５ａ，６ａ…サイドガイドのガイド面
７，８，９，１０…プッシャーバー
１１，１２…プッシャーバー駆動機構
１３，１７…ピニオンギヤ
１４，１８…ピニオン駆動軸
１５，１９…駆動モータ
１６，２０…ウォーム減速機
２１…ピストン
２２…ピストン収納室
２３…内壁面
２４…円筒部
２５…ピストンの先端中央部に形成された凹部
２６…緩衝ばね
２７…ばね力調整部材
２８…サイドガイド本体
２９…蓋部材
３０…給脂孔
【図１】
2013128979.tif 000003
【図２】
2013128979.tif 000004
【図３】
2013128979.tif 000005
【図４】
2013128979.tif 000006
【図５】
2013128979.tif 000007